(57)【要約】【課題】ロープを浜に引き上げることなく、海上でフロートをロープに着脱できるようにすることである。【解決手段】一対の浮き（１，１）を前後に間隔をあけて対向し、両浮きを連結する複数のバー（２）を左右に間隔をあけて設け、隣り合う一対のバー（２，２）の間にはロープ（Ｒ）を載せる拘束具（３）を、バー（２）又は浮き（１）に着脱可能に連結し、隣り合う一対のバー（２，２）の下側に通したロープ（Ｒ）の中央部を拘束具（３）で山形に持ち上げることを特徴とするフロート。【選択図】　　　図１
2004049180.tif 000002
【特許請求の範囲】
【請求項１】
一対の浮き（１，１）を前後に間隔をあけて対向し、両浮きを連結する複数のバー（２）を左右に間隔をあけて設け、隣り合う一対のバー（２，２）の間にはロープ（Ｒ）を載せる拘束具（３）を、バー（２）又は浮き（１）に着脱可能に連結し、隣り合う一対のバー（２，２）の下側に通したロープ（Ｒ）の中央部を拘束具（３）で山形に持ち上げることを特徴とするフロート。
【請求項２】
拘束具（３）は、上向きに開口する樋状の受け部（６）の左右端部に、バー又は浮きへの連結部（７）を有するもので、受け部（６）は、左右端部が中央部に比べて低くなる湾曲形状であることを特徴とする請求項１記載のフロート。
【発明の詳細な説明】
【０００１】
【発明の属する技術分野】
本発明は、主に魚礁用網のロープに取り付けるフロートに関する。
【０００２】
【従来の技術】
魚礁用網のロープには多数のフロートが間隔をあけて取り付けてある。従来の一般的なフロートとしては、中空の球体の中央に、ロープ挿入用筒を前後に貫通して取り付けた構造が知られている。
【０００３】
ところが、フロートをロープに取り付けるには、その構造上、ロープ挿入用筒にロープを先端から送り込むようにして入れる必要がある。従って、フロートが割れると、海上で同じ場所にフロートを取り付けることはできなかった。このため、再度、同じ場所にフロートを取り付けるには、網を一旦、浜へ引き上げてから他のフロートをロープから抜き取らねばならず、その手間が煩わしかった。
【０００４】
【発明が解決しようとする課題】
本発明は上記実情を考慮して開発されたもので、その課題は、ロープを浜に引き上げることなく、海上でフロートをロープに着脱できるようにすることである。
【０００５】
【課題を解決するための手段】
請求項１に係る発明は、一対の浮きを前後に間隔をあけて対向し、両浮きを連結する複数のバーを左右に間隔をあけて設け、隣り合う一対のバーの間にはロープを載せる拘束具を、バー又は浮きに着脱可能に連結し、隣り合う一対のバーの下側に通したロープの中央部を拘束具で山形に持ち上げることを特徴とするフロートである。
【０００６】
フロートをロープの上に下ろし、隣り合う一対のバーの間からロープを持ち上げ、ロープの下に拘束具を通して、その拘束具をバー又は浮きに連結すれば、ロープがバーの下と拘束具の上を通過して山形となる。そして、一部分が山形となったロープの剛性によって、フロートはロープの長手方向への移動が阻止される。
【０００７】
拘束具をバー又は一対の浮きに着脱可能に連結するには、締結具（雄ネジと雌ネジを利用したもの）が一例として挙げられる。
【０００８】
拘束具は、一対の浮きの間にバーよりも高い箇所で架設する棒状部材であってもよいが、この場合、ロープが前後方向にぶれる（移動可能となる）。従って、拘束具はロープを前後から受け止める形態のものが望ましい。具体的には、請求項２に係る発明のように、拘束具は、上向きに開口する樋状の受け部の左右端部に、バー又は浮きへの連結部を有するもので、受け部は、左右端部が中央部に比べて低くなる湾曲形状にする。
【０００９】
【発明の実施の形態】
本発明のフロートは図１に示すように、前後に間隔をあけて対向する一対の浮き１，１と、両浮き１，１を連結する二本のバー２，２と、両バー２，２に締結具Ｔで着脱可能に連結する拘束具３とから構成してある。
【００１０】
浮き１は図１又は図３に示すように、筒状の中空ケースである。また、バー２は、断面円形の管状で、その両端を浮き１に溶接して連結してある。そして、隣り合う一対のバー２，２の内側には、拘束具連結用の取付部４を、前後左右に対称的に突出し、各取付部４に雌ネジ５をあけてある。
【００１１】
拘束具３は図１又は図２に示すように、ロープＲの長手方向への移動を阻止すると共に、ロープＲが前後にぶれるのを阻止するものである。その構造は、上向きに開口する樋状の受け部６の左右端部にバーへの連結部７を前後に一つずつ突出するものである。受け部６は、断面円弧状で、中央部から左右端部に向かって徐々に低くなる湾曲形状をし、真上から視てその左右端部をく字状に形成してある。連結部７は、平らな板で、抜穴８を雌ネジ５に対応する位置にあけてある。
【００１２】
上述したフロートは以下の手順で組み立てる。先ず、図４（イ）に示すように、ロープＲの上にフロートを下ろして、二本のバー２，２の下にロープＲを通した（配置した）状態とする。次に、図４（ロ）に示すように、隣り合う一対のバー２，２の間からロープＲを引き上げる。続いて図４（ハ）に示すように、ロープＲの下に拘束具３を通して、拘束具３の連結部７をバー２の取付部４の上に重ね合わせて、締結具Ｔとしての蝶ネジを連結部７の抜穴８から取付部４の雌ネジ５に下向きにねじ込んで連結する。すると、図１に示すように、バー２の下側を通したロープＲが拘束具３の受け部６に載って山形に湾曲した形態となり、フロートがロープＲの長手方向への移動を阻止され、また、ロープＲが前後にぶれることなく受け部６の底に安定して載る。なお、フロートをロープＲから外すには、逆の手順で行う。
【００１３】
バー２の別の例としては、図５（イ）に示すように、帯板を溶接して環状に連結し、その環状帯板の前後を挟持部９としたものが挙げられる。そして、図５（ロ）に示すように、環状帯板の中間部を上下に重ね合わせ、締結具Ｔとしてのボルト・ナットでその重ね合わせた状態で固定することによって、挟持部９の径を狭めてその内側に浮き１を挟み込む。
【００１４】
上述したフロートは、間隔をあけて並列した筒状の浮き１，１を、バー２で連結して一体としてあるので、船に積んでも揺れによって転がらずにすむ。従って、船での移送に適している。
【００１５】
浮き１、バー２及び拘束具３の材料は、例えば金属（アルミ、鉄等）を用いる。金属を用いれば、レーダー反応するので探知しやすく、しかも、回収して再利用することもできる。なお、アルミの場合は、５０００番系の船舶用合金を用いることが耐久性の点で望ましい。
【００１６】
本発明は上記実施形態に限定されるものではない。例えば、拘束具３の表面にゴム等の滑り止め被膜を設ければ、ロープＲの長手方向への移動が一段と阻止される。
【００１７】
【発明の効果】
本発明は、バーの下に通したロープを引き上げて拘束具を連結するだけでロープへの取付が完了するものなので、ロープの先端から差し込んで取り付ける従来品とは異なって、海上でも着脱できる。また、浮きが一つ壊れても、残りの浮きによってロープに浮力を与えることができる。さらに、拘束具が樋状の受け部を有するものであれば、上向きに開口する樋形状によって、ロープが受け部の幅中央部で安定するので、ロープが前後方向にぶれることなく、取付状態が安定する。また、受け部は、左右端部が中央部に比べて低くなる湾曲形状であるので、受け部の全長に亘ってロープを支えることとなり、ロープに局部的な圧力が加わらず、ロープを傷めずにすむ。
【図面の簡単な説明】
【図１】（イ）（ロ）（ハ）
本発明のフロートを示す正面図、右側面図、Ａ−Ａ線断面図である。
【図２】（イ）（ロ）（ハ）（ニ）（ホ）
拘束具を示す正面図、下面図、Ａ−Ａ線断面図、右側面図、Ｂ−Ｂ線断面図である。
【図３】（イ）（ロ）
一対の浮きをバーで連結した状態を示す正面図、Ａ−Ａ線断面図である。
【図４】（イ）（ロ）（ハ）
ロープをフロートに取り付ける手順を示す断面図である。
【図５】（イ）（ロ）
バーの別の例を示す正面図、バーを浮きに取り付けた状態を示す断面図である。
【符号の説明】
１　浮き
２　バー
３　拘束具
Ｒ　ロープ
６　受け部
７　連結部
【図１】
2004049180.tif 000003
【図２】
2004049180.tif 000004
【図３】
2004049180.tif 000005
【図４】
2004049180.tif 000006
【図５】
2004049180.tif 000007